(57)【要約】【課題】お墓等への納骨ができなくても、自宅の棚の一部など極めて限られたスペースに置いて、故人を供養することができる卓上型厨子を提供する。【解決手段】厨子１は、祠堂の形態をなし、台座１０と、前面に観音開きの扉２３を備えた、観音像等の仏像を立設するための収納室２０と、寄棟造の屋根３０と、仏像とを備える。台座１０の内部に、遺骨収納部１２を設けるとともに、その上部に開口部２５を形成する。開口部２５を塞ぐとともに所定位置に保持される平板２８を着脱可能に設ける。収納室２０の背面の内側には、所定位置に保持される戒名等表示板２９を着脱可能に設ける。大きさを、高さ２０ｃｍ以下、幅及び奥行１５ｃｍ以下となす。【選択図】図５
0003205410.tif 000002
【実用新案登録請求の範囲】
【請求項１】
祠堂の形態をなす厨子であって、
台座と、
該台座の上に位置するとともに、前面に観音開きの扉を備えた、観音像等の仏像を立設するための収納室と、
該収納室の上に設けられた寄棟造の屋根と、
前記収納室に立設される観音像等の仏像とを備え、
前記台座の内部に、遺骨の一部を納めることが可能な遺骨収納部を設けるとともに、その上部に開口部を形成し、
該開口部を塞ぐとともに所定位置に保持される平板を着脱可能に設け、該平板を前記観音像等の仏像を立設するための台部となし、
前記収納室の背面の内側には、所定位置に保持される戒名等表示板を着脱可能に設け、
かつ、大きさを、高さ２０ｃｍ以下、幅及び奥行１５ｃｍ以下となした、
卓上型厨子。
【考案の詳細な説明】
【技術分野】
【０００１】
本考案は、観音像等を納める仏具としての厨子に関する。
【背景技術】
【０００２】
一般に、火葬場で荼毘に付された故人の遺骨は、四十九日などを区切りとして墓地、納骨堂等へと納骨される。
しかし、現代社会においては、諸事情により墓地等を利用できなかったり、また故人の遺骨を自宅に置いておきたいという要望もある。
上記のような事情を考慮したものとして、特許文献１には、「内部に納骨室を形成し、この納骨室の正面側を開放して両サイドに折戸式の扉を取り付けて成る納骨壇と、前記納骨室内に正面側から組み付け自在に形成されていると共に必要に応じて納骨室から引き出し、納骨壇の上に二段重ねにして使用できる祭壇と、から成る納骨仏壇。」が記載されている。
【０００３】
上記の納骨仏壇は、祭壇と納骨壇を状況に応じて使い分けることにより小型化を図り、骨壷又は骨箱を自宅において手軽にお参りすることができるというものであるが、一般に骨壷は決して小さいものではないため、結果的に小型化にも限度があり、現代の住宅事情等に鑑みると簡易に利用できるものとは言えない。
【先行技術文献】
【特許文献】
【０００４】
【特許文献１】登録実用新案第３１９９９６４号公報
【考案の概要】
【考案が解決しようとする課題】
【０００５】
本考案は、前記背景技術等を考慮してなされたもので、お墓等への納骨ができなくても、自宅の棚の一部など極めて限られたスペースに置いて、故人を供養することができる卓上型厨子を提供することを課題とする。
【課題を解決するための手段】
【０００６】
本考案は、祠堂の形態をなす厨子であって、
台座と、
該台座の上に位置するとともに、前面に観音開きの扉を備えた、観音像等の仏像を立設するための収納室と、
該収納室の上に設けられた寄棟造の屋根と、
前記収納室に立設される観音像等の仏像とを備え、
前記台座の内部に、遺骨の一部を納めることが可能な遺骨収納部を設けるとともに、その上部に開口部を形成し、
該開口部を塞ぐとともに所定位置に保持される平板を着脱可能に設け、該平板を前記観音像等の仏像を立設するための台部となし、
前記収納室の背面の内側には、所定位置に保持される戒名等表示板を着脱可能に設け、
かつ、大きさを、高さ２０ｃｍ以下、幅及び奥行１５ｃｍ以下となした、
卓上型厨子である。
【考案の効果】
【０００７】
本考案によれば、お墓等への納骨ができなくても、自宅の棚の一部など極めて限られたスペースに置いて、故人を供養することができる。
また、厨子は祠堂の形態をなすため、荘重感があり体裁が良く、違和感なく身近に故人の供養をすることができる。
さらに、遺骨収納部、開口部、平板及び戒名表示板の各要素は、祠堂の形態をなす厨子本体の基本的形態を基に、その形態を損なうことなくわずかな変更を加えるのみで製作でき、その製造も簡便であり、しかも、観音像等の仏像も備えているため、別途仏具等を購入、設置する手間も省け、有益である。
【図面の簡単な説明】
【０００８】
【図１】厨子１の扉を閉じた状態の斜視図である。
【図２】厨子１の扉を開いた状態の斜視図である。
【図３】（ａ）は厨子１の扉を閉じた状態の正面図、（ｂ）は厨子１の扉を開いた状態の正面図である。
【図４】（ａ）は厨子１の扉を閉じた状態の左側面図、（ｂ）は厨子１の扉を閉じた状態の背面図である。
【図５】厨子１の側断面図である。
【考案を実施するための形態】
【０００９】
祠堂の形態を厨子本体の基本的形態とするとともに、その形態を損なうことのないよう内部構造に変更を加え、卓上型の厨子を構成した。
【実施例】
【００１０】
厨子１は、建築物としての祠堂の形態をなしており、台座１０、収納室２０、屋根３０を有する。材質は通常、木が用いられるが、限定されるものではない。
台座１０は、平坦な底面の平板１０ａを有し、該平板１０ａが棚等への載置面となる。平板１０ａの上にはつなぎ部１０ｂを介して平板１０ｃが積層されている。つなぎ部１０ｂの水平断面はロ字状である。また、平板１０ｃのほぼ中央には円形の開口部１１が設けられている（図５参照）。これにより、台座１０の内部に、遺骨の一部を納めることが可能な遺骨収納部（収納空間）１２が形成されている。
【００１１】
台座１０の上には、観音像等の仏像を立設するための空間（部屋）となる収納室２０が設けられている。収納室２０は、台座１０と屋根３０の間にあって、両側面２１，２１、背面２２と、前面に観音開きの扉２３，２３を備え、扉２３，２３を閉じることにより、ほぼ直方体状に画成された空間を形成する。扉２３，２３は、前面から側面へと跨る、断面Ｌ字状に屈曲した形状としてあり、側面側の上下両端部が屋根３０と台座１０にヒンジピンなどで回動自在に支持されている。このため、扉２３，２３を開くと、収納室２０の側面２１，２１の前面側も開放するので、収納室２０に光が入りやすく、収納室２０が明るくなり、収納室２０に立設される観音像等の仏像が引き立つ。図３（ｂ）に示すように、扉２３，２３の内面には任意の図柄等を施すことができる。
符号２４は台座１０上に積層固定された補助板、符号２６，２６は収納室２０の前面側両サイドに立設された柱、符号２７は天井部、符号２７ａは飾り部である。
【００１２】
図５に示すとおり、補助板２４の中央には、前記した台座１０の平板１０ｃに設けられた開口部１１と一致するように、透孔状の開口部２５が設けられており、該開口部２５から、遺骨の一部を遺骨収納部１２へと納めるようになっている。
【００１３】
補助板２４の上には、補助板２４に設けられた開口部２５を塞ぐように矩形状の平板２８が載置されている。該平板２８は、収納室２０の両側面２１，２１、背面２２及び柱２６，２６にほぼ接する大きさに形成され、通常、両面テープ等を用いて着脱自在に所定位置に保持されるようになっている。これにより、平板２８は、収納室２０において観音像等の仏像を立設するための台部となっている。
【００１４】
収納室２０の背面の内側には、この部分に嵌められる大きさの縦長矩形状の戒名等表示板２９が通常、両面テープ等を用いて着脱可能に設けられ、所定位置に保持される（図５参照）。
収納室２０の上には、寄棟造の屋根３０が設けられている。
厨子１の大きさは、例えば、高さ１４ｃｍ、幅及び奥行（最大幅及び最大奥行）１０ｃｍであり、高さ２０ｃｍ以下、幅及び奥行１５ｃｍ以下とする。
【００１５】
収納室２０に立設される観音像等の仏像４０は、観音菩薩等の仏像であり、白磁その他のセラミックからなるものが好ましく用いられる。その大きさは、収納室２０の大きさを考慮して決定されるが、例えば、高さ６５ｍｍ程度のものを使用することができる。
【００１６】
（使用方法）
例えば、荼毘に付した遺骨の一部を袋に入れ、その袋を開口部２５から遺骨収納部１２に納める。次いで、平板２８を所定位置に取り付けるとともに、収納室２０の背面の内側に、予め戒名等を表示した戒名等表示板２９を所定位置に保持させる。
そして、仏像４０を、平板２８の上に両面テープ等で固定し、立設する（図３（ｂ）参照）。仏像４０は、好ましくは、火葬の際に故人の遺体とともに荼毘に付し、燃えずにお骨とともに残った、故人のみたまが込められていると感じられやすい仏像４０を使用する。これにより完成し、自宅の棚など適宜位置に載置し、故人の供養を行うことができる。分骨して近親者等が使用する場合にも有益である。
【符号の説明】
【００１７】
１  厨子
１０  台座
１１  開口部
１２  遺骨収納部
２０  収納室
２３  扉
２４  補助板
２５  開口部
２８  平板
２９  戒名等表示板
３０  屋根
４０  仏像
【図１】
0003205410.tif 000003
【図２】
0003205410.tif 000004
【図３】
0003205410.tif 000005
【図４】
0003205410.tif 000006
【図５】
0003205410.tif 000007